(57)【特許請求の範囲】
【請求項１】
Ｃ状杆の開口部の一端部に開閉体の基端を枢着し、この開閉体をＣ状杆の内側へ擺動せしめることで当該開口部を開閉自在となるように構成した連結環において、前記開閉体として、線材を折り返し形成して成る開閉体を採用し、この開閉体における前記Ｃ状杆の開口部の他端部に当接させる先端部にして先端折り返し部をＣ状杆の内側方向へ向けて折り曲げ形成して枠状部を設け、この枠状部を、開閉体によりＣ状杆の開口部を閉塞させた際、Ｃ状杆の開口部の他端部が枠状部の左右構成部間に入り込み嵌合するように構成したことを特徴とする連結環。
【発明の詳細な説明】
【０００１】
【発明の属する技術分野】
本発明は、連結環に関するものである。
【０００２】
【従来の技術及び発明が解決しようとする課題】
従来から、例えば登山や作業現場などで使用されるものであって、例えばロープとロープとを連結したりするための連結環（所謂カラビナ）が提案されている。
【０００３】
この連結環は、Ｃ状杆の開口部の一端に開閉体の基端を枢着し、この開閉体を擺動せしめることで当該開口部を開閉自在となるように構成されたものが一般的である。
【０００４】
ところで、この連結環の開閉体には、単に線材を折り返し形成しただけの構造のものが提案され、この線材タイプの開閉体を備えた連結環（以下、従来例という。）は、その他の構造の開閉体を備えたものに比して簡易構造故に量産性に秀れ且つコスト安である。
【０００５】
ところが、この従来例は、前述にもしたように開閉体が線材で構成され、且つ、この線材の両端をＣ状杆の一端の表裏に枢着して擺動自在に設けただけの簡易構造である為、Ｃ状杆の開口部を閉塞させた状態において、開閉体に左右方向の力が加わると先端部がガタガタして（位置ずれして）しまい、しかも、開閉体を構成する線材の付勢力のバランスが良好でないと、開閉体を戻り付勢により戻した際、開閉体の先端部が位置ずれして（傾いて）閉塞状態となってしまう。
【０００６】
このことは、ユーザーに強度上の不安感を与えかねず、体裁も悪いとされる。
【０００７】
本発明は、上述の問題点に着目し、開閉体のがたつきを確実に防止して従来からユーザーに与えていた不安感を確実に解消することができ、しかも、開閉体の体裁の良い閉塞状態が確実に得られるなど極めて商品価値の高い画期的な連結環を提供するものである。
【０００８】
【課題を解決するための手段】
添付図面を参照して本発明の要旨を説明する。
【０００９】
Ｃ状杆１の開口部１ａの一端部に開閉体２の基端を枢着し、この開閉体２をＣ状杆１の内側へ擺動せしめることで当該開口部１ａを開閉自在となるように構成した連結環において、前記開閉体２として、線材を折り返し形成して成る開閉体２を採用し、この開閉体２における前記Ｃ状杆１の開口部１ａの他端部に当接させる先端部にして先端折り返し部４をＣ状杆１の内側方向へ向けて折り曲げ形成して枠状部３を設け、この枠状部３を、開閉体２によりＣ状杆１の開口部１ａを閉塞させた際、Ｃ状杆１の開口部１ａの他端部が枠状部３の左右構成部３ａ，３ｂ間に入り込み嵌合するように構成したことを特徴とする連結環に係るものである。
【００１０】
【発明の実施の形態】
好適と考える本発明の実施の形態（発明をどのように実施するか）を、図面に基づいてその作用効果を示して簡単に説明する。
【００１１】
本発明は、開閉体２によりＣ状杆１の開口部１ａを閉塞させると、開閉体２の少なくとも先端部に設けた枠状部３の左右構成部３ａ，３ｂ間にＣ状杆１の開口部１ａの他端部が入り込み嵌合する。この際、開閉体２を閉じた状態において開閉体２に左右方向への力が加わったとしても、開閉体２の先端部に設けた枠状部３の左右構成部３ａ，３ｂがＣ状杆１の開口部１ａの他端部に当接することにより、開閉体２の先端部の左右方向への位置ずれが防止されることになる。
【００１２】
従って、従来においてがたつく開閉体を備えた連結環がユーザーに与えかねない強度上の不安感は確実に解消されることになり、そして、開閉体２を閉じた際、Ｃ状杆１の開口部１ａの他端部が開閉体２の少なくとも先端部に設けた枠状部３の左右構成部３ａ，３ｂ間に誘導されるように入り込み嵌合することになるから、開閉体２の先端部は確実に所定の位置で閉塞することになり、従来のように開閉体２の先端部が位置ずれして（傾いて）閉塞状態となるようなことはなく、極めて体裁の良い閉塞状態が得られることになる。
【００１３】
また、本発明は、開閉体２として、線材を折り曲げ形成して成る開閉体２が採用され、この開閉体２の先端部に設けられる枠状部３は、単に開閉体２の先端折り返し部４をＣ状杆１の内側方向へ向けて折り曲げ形成しただけで構成し得るものであるから、何ら複雑な構造ではなく従来の製造ラインに支障を来す事なく製造することができ、簡易構造故に量産性に秀れ且つコスト安となる。
【００１４】
【実施例】
図面は本発明の一実施例を図示したものであり、以下に説明する。
【００１５】
本実施例は、Ｃ状杆１の開口部１ａの一端部１ｂに開閉体２の基端部を枢着し、この開閉体２を擺動せしめることで当該開口部１ａを開閉自在となるように構成した所謂カラビナである。
【００１６】
以下、本実施例を構成する各部の説明をする。
【００１７】
Ｃ状杆１は、図１〜３に図示したように断面円形状の適宜な金属製の棒部材で形成したものである。
【００１８】
開閉体２は、図１〜３に図示したように断面円形状の適宜な金属製の線材を所定の全体長となるように折り返し形成して成るものであり、Ｃ状杆１への装着にあっては、折り返し形成した線材の両端をＣ状杆１の開口部１ａの一端部１ｂの左右部位に夫々枢着し、この左右部位の各枢着部５，６を対向位置からずらして枢着支点Ｐ1，Ｐ2をずらすことにより開放方向と逆方向（図２中ａ方向）への戻り付勢力を保持し得るように構成されている。
【００１９】
また、開閉体２は、図１〜３に図示したように開閉体２を構成する線材の先端折り返し部４をＣ状杆１の内側方向へ向けて折り曲げ形成することで枠状部３を設けており、この枠状部３は、開閉体２によりＣ状杆１の開口部１ａを閉塞させた際、枠状部３の左構成部３ａ及び右構成部３ｂ間にＣ状杆１の開口部１ａの他端部１ｃが入り込み嵌合するように構成されている。
【００２０】
尚、本実施例では、線材タイプの開閉体２の先端部を折り返し形成するだけで枠状部３を構成したが、例えば棒状タイプの開閉体の先端部に枠状部３を付設するなど本実施例の特性を発揮せしめる構成であれば適宜設計し得るものである。
【００２１】
本実施例は上述のように構成したから、開閉体２によりＣ状杆１の開口部１ａを閉塞させると、開閉体２の先端部に設けた枠状部３の左右構成部３ａ，３ｂ間にＣ状杆１の開口部１ａの他端部１ｃが入り込み嵌合する。この際、開閉体２を閉じた状態において開閉体２に左右方向（図３中ｂ方向）への力が加わったとしても、開閉体２の先端部に設けた枠状部３の左右構成部３ａ，３ｂがＣ状杆１の開口部１ａの他端部１ｃに当接することにより、開閉体２の先端部の左右方向への位置ずれが防止されることになる。
【００２２】
よって、本実施例によれば、線材タイプの開閉体２を備えた連結環が備える量産性に秀れ且つコスト安となるメリットを活かしつつ、従来においてがたつく開閉体を備えた連結環がユーザーに与えかねない強度上の不安感は確実に解消されることになり、そして、開閉体２を閉じた際、Ｃ状杆１の開口部１ａの他端部１ｃが開閉体２の少なくとも先端部に設けた枠状部３の左右構成部３ａ，３ｂ間に誘導されるように強制的に入り込み嵌合することになるから、開閉体２の先端部は確実に所定の位置（Ｃ状杆１の開口部１ａの他端部１ｃの略軸芯位置）で閉塞することになり、従来のように位置ずれして（傾いて）閉塞状態となるようなことはなく、極めて収まりが良く体裁の良好な閉塞状態が得られることになるなど極めて商品価値が高く、より一層この種の連結環の拡販が望めることになる。
【００２３】
また、本実施例は、開閉体２として、線材を折り曲げ形成して成る開閉体２が採用され、この開閉体２の先端部に設けられる枠状部３は、単に開閉体２の先端折り返し部４をＣ状杆１の内側方向へ向けて折り曲げ形成しただけで構成し得るものであるから、何ら複雑な構造ではなく従来の製造ラインに支障を来す事なく製造することができ、簡易構造故に量産性に秀れ且つコスト安となる。
【００２４】
【発明の効果】
本発明は上述のように構成したから、従来においてがたつく開閉体を備えた連結環がユーザーに与えかねない強度上の不安感は確実に解消されることになり、そして、開閉体を閉じた際、Ｃ状杆の開口部の他端部が開閉体の少なくとも先端部に設けた枠状部の左右構成部間に誘導されるように入り込み嵌合することになるから、開閉体の先端部は確実に所定の位置で閉塞することになり、従来のように開閉体の先端部が位置ずれして（傾いて）閉塞状態となるようなことはなく、極めて体裁の良い閉塞状態が得られることになるなど極めて商品価値の高い画期的な連結環となる。
【００２５】
また、本発明は、開閉体として、線材を折り曲げ形成して成る開閉体が採用され、この開閉体の先端部に設けられる枠状部は、単に開閉体の先端折り返し部をＣ状杆の内側方向へ向けて折り曲げ形成しただけで構成し得るものであるから、何ら複雑な構造ではなく従来の製造ラインに支障を来す事なく製造することができ、簡易構造故に量産性に秀れ且つコスト安となるなど極めて商品価値の高い画期的な連結環となる。
【図面の簡単な説明】
【図１】本実施例を示す斜視図である。
【図２】本実施例を示す正面図である。
【図３】本実施例を示す平面図である。
【符号の説明】
１  Ｃ状杆
１ａ 開口部
２  開閉体
３  枠状部
３ａ  左構成部
３ｂ  右構成部
４  折り返し部
【図１】
0003705961.tif 000002
【図２】
0003705961.tif 000003
【図３】
0003705961.tif 000004